【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
液体布地処理組成物であって：
炭化水素ワックスと；
架橋剤と；
ポリエステル経糸サイジング剤と；を備える、
液体布地処理組成物。
【請求項２】
前記組成物は、水性分散物である、
請求項１の組成物。
【請求項３】
前記炭化水素ワックスは、ポリエチレンワックスを備える、
請求項１又は請求項２の組成物。
【請求項４】
前記ポリエチレンワックスは、アニオン性である、
請求項３の組成物。
【請求項５】
前記ポリエチレンワックスは、カルボキシル基を備える、
請求項３又は請求項４の組成物。
【請求項６】
前記架橋剤は、非イオン性ブロック化イソシアナートを備える、
請求項１乃至請求項５のいずれか１項の組成物。
【請求項７】
前記架橋剤は、前記炭化水素ワックスと、セルロース含有布地とに反応してウレタンを形成する、
請求項１乃至請求項６のいずれか１項の組成物。
【請求項８】
前記ポリエステル経糸サイジング剤は、アニオン性ポリエステル経糸サイジング剤である、
請求項１乃至請求項７のいずれか１項の組成物。
【請求項９】
前記ポリエステル経糸サイジング剤は、スルファート部分を備える、
請求項１乃至請求項８のいずれか１項の組成物。
【請求項１０】
前記ポリエステル経糸サイジング剤は、硫酸化イソフタル酸モノマー単位を備える、
請求項１乃至請求項９のいずれか１項の組成物。
【請求項１１】
前記ポリエステル経糸サイジング剤は、硫酸化テレフタル酸モノマー単位を備える、
請求項１乃至請求項１０のいずれか１項の組成物。
【請求項１２】
紫外線抑制剤を更に備える、
請求項１乃至請求項１１のいずれか１項の組成物。
【請求項１３】
移染防止剤を更に備える、
請求項１乃至請求項１２のいずれか１項の組成物。
【請求項１４】
前記移染防止剤は、アクリルアミドを備える、
請求項１３の組成物。
【請求項１５】
分散染料を更に備える、
請求項１乃至請求項１４のいずれか１項の組成物。
【請求項１６】
液体布地処理組成物を形成するために、
水性溶媒と、
炭化水素ワックスと、
架橋剤と、
ポリエステル経糸サイジング剤とを組み合わせるステップを備える、
液体布地処理組成物を形成する方法。
【請求項１７】
分散染料を前記液体布地処理組成物と組み合わせるステップを更に備える、
請求項１６の方法。
【請求項１８】
布地を処理する方法であって：
（ｉ）前処理済布地を得るために、セルロースを備える布地を液体分散物と接触させるステップであって、前記液体分散物は：
炭化水素ワックスと；
架橋剤と；
ポリエステル経糸サイジング剤と；を備える、前記接触させるステップと；
（ｉｉ）処理済布地を得るために、前記前処理済布地を加熱するステップであって、前記処理済布地は、前記炭化水素ワックスと、前記架橋剤と、前記セルロースとの反応によって形成されたウレタンを備える、前記加熱するステップと；を備える、
布地を処理する方法。
【請求項１９】
前記処理済布地を分散染料で染色するステップを更に備える、
請求項１８の方法。
【請求項２０】
前記液体分散物は、分散染料を備える、
請求項１８又は請求項１９の方法。
【手続補正２】
【補正対象書類名】明細書
【補正対象項目名】０１２３
【補正方法】変更
【補正の内容】
【０１２３】
［他の実施の形態］
本願をその詳細な説明と併せて説明したが、その説明は、特許請求の範囲によって定義される本願の範囲を例示することを意図したものであり、その限定を意図したものではないことを理解されたい。他の態様、利点、及び改変は、添付の特許請求の範囲に含まれる。
［第１の局面］
液体布地処理組成物であって：
炭化水素ワックスと；
架橋剤と；
ポリエステル経糸サイジング剤と；を備える、
液体布地処理組成物。
［第２の局面］
前記組成物は、水性分散物である、
第１の局面の組成物。
［第３の局面］
前記炭化水素ワックスは、分散物の形態である、
第１の局面又は第２の局面の組成物。
［第４の局面］
前記炭化水素ワックスの量は、約１％ｏ．ｗ．ｇ．から約１０％ｏ．ｗ．ｇ．の範囲である、
第１の局面乃至第３の局面のいずれか１項の組成物。
［第５の局面］
前記炭化水素ワックスは、ポリエチレンワックスを備える、
第１の局面乃至第４の局面の組成物。
［第６の局面］
前記ポリエチレンワックスは、酸化されている、
第５の局面の組成物。
［第７の局面］
前記ポリエチレンワックスは、アニオン性である、
第５の局面又は第６の局面の組成物。
［第８の局面］
前記ポリエチレンワックスは、カルボキシル基を備える、
第５の局面乃至第７の局面のいずれか１項の組成物。
［第９の局面］
前記ポリエチレンワックスは、高密度ポリエチレンワックスである、
第５の局面乃至第８の局面のいずれか１項の組成物。
［第１０の局面］
前記ポリエチレンワックスの融点は、約１００℃から約１５０℃の範囲である、
第５の局面乃至第９の局面のいずれか１項の組成物。
［第１１の局面］
前記架橋剤は、分散物の形態である、
第１の局面乃至第１０の局面のいずれか１項の組成物。
［第１２の局面］
前記架橋剤の量は、約０．１％ｏ．ｗ．ｇ．から約５％ｏ．ｗ．ｇ．の範囲である、
第１の局面乃至第１１の局面のいずれか１項の組成物。
［第１３の局面］
前記架橋剤は、非イオン性ブロック化イソシアナートを備える、
第１の局面乃至第１２の局面のいずれか１項の組成物。
［第１４の局面］
前記架橋剤は、前記炭化水素ワックスと、セルロース含有布地とに反応してウレタンを形成する、
第１の局面乃至第１３の局面のいずれか１項の組成物。
［第１５の局面］
前記ポリエステル経糸サイジング剤は、分散物の形態である、
第１の局面乃至第１４の局面のいずれか１項の組成物。
［第１６の局面］
前記ポリエステル経糸サイジング剤の量は、約１％ｏ．ｗ．ｇ．から約１０％ｏ．ｗ．ｇ．の範囲である、
第１の局面乃至第１５の局面のいずれか１項の組成物。
［第１７の局面］
前記ポリエステル経糸サイジング剤は、アニオン性ポリエステル経糸サイジング剤である、
第１の局面乃至第１６の局面のいずれか１項の組成物。
［第１８の局面］
前記ポリエステル経糸サイジング剤は、スルファート部分を備える、
第１の局面乃至第１７の局面のいずれか１項の組成物。
［第１９の局面］
前記ポリエステル経糸サイジング剤は、硫酸化イソフタル酸モノマー単位を備える、
第１の局面乃至第１８の局面のいずれか１項の組成物。
［第２０の局面］
前記ポリエステル経糸サイジング剤は、硫酸化テレフタル酸モノマー単位を備える、
第１の局面乃至第１９の局面のいずれか１項の組成物。
［第２１の局面］
紫外線抑制剤を更に備える、
第１の局面乃至第２０の局面のいずれか１項の組成物。
［第２２の局面］
前記紫外線抑制剤の量は、約０．１％ｏ．ｗ．ｇ．から約５％ｏ．ｗ．ｇ．の範囲である、
第２１の局面の組成物。
［第２３の局面］
移染防止剤を更に備える、
第１の局面乃至第２２の局面のいずれか１項の組成物。
［第２４の局面］
前記移染防止剤の量は、約０．１％ｏ．ｗ．ｇ．から約１０％ｏ．ｗ．ｇ．の範囲である、
第２３の局面の組成物。
［第２５の局面］
前記移染防止剤は、アクリルアミドを備える、
第２３の局面又は第２４の局面の組成物。
［第２６の局面］
分散染料を更に備える、
第１の局面乃至第２５の局面のいずれか１項の組成物。
［第２７の局面］
前記分散染料の量は、約０．１％ｏ．ｗ．ｇ．から約１０％ｏ．ｗ．ｇ．の範囲である、
第２６の局面の組成物。
［第２８の局面］
液体布地処理組成物を形成するために、
水性溶媒と、
炭化水素ワックスと、
架橋剤と、
ポリエステル経糸サイジング剤とを組み合わせるステップを備える、
液体布地処理組成物を形成する方法。
［第２９の局面］
紫外線抑制剤を前記液体布地処理組成物と組み合わせるステップを更に備える、
第２８の局面の方法。
［第３０の局面］
移染防止剤を前記液体布地処理組成物と組み合わせるステップを更に備える、
第２８の局面又は第２９の局面の方法。
［第３１の局面］
分散染料を前記液体布地処理組成物と組み合わせるステップを更に備える、
第２８の局面乃至第３０の局面のいずれか１項の方法。
［第３２の局面］
液体分散物を形成するために、前記液体布地処理組成物を撹拌するステップを更に備える、
第２８の局面乃至第３１の局面のいずれか１項の方法。
［第３３の局面］
布地を処理する方法であって：
（ｉ）前処理済布地を得るために、セルロースを備える布地を液体分散物と接触させるステップであって、前記液体分散物は：
炭化水素ワックスと；
架橋剤と；
ポリエステル経糸サイジング剤と；を備える、前記接触させるステップと；
（ｉｉ）処理済布地を得るために、前記前処理済布地を加熱するステップであって、前記処理済布地は、前記炭化水素ワックスと、前記架橋剤と、前記セルロースとの反応によって形成されたウレタンを備える、前記加熱するステップと；を備える、
布地を処理する方法。
［第３４の局面］
前記布地は、衣類を備える、
第３３の局面の方法。
［第３５の局面］
前記前処理済布地を加熱する前記ステップは、前記炭化水素ワックスの溶融温度より高い温度を備える、
第３３の局面又は第３４の局面の方法。
［第３６の局面］
前記前処理済布地を加熱する前記ステップは、前記処理済布地を得るために、前記前処理済布地を少なくとも１５０℃の温度で乾燥させるステップを備える、
第３３の局面乃至第３５の局面のいずれか１項の方法。
［第３７の局面］
前記処理済布地の水分含有量は、約２ｗｔ．％又はそれ未満である、
第３３の局面乃至第３６の局面のいずれか１項の方法。
［第３８の局面］
前記処理済布地を分散染料で染色するステップを更に備える、
第３３の局面乃至第３７の局面のいずれか１項の方法。
［第３９の局面］
前記処理済布地を染色する前記ステップは、染色済布地を得るために、前記処理済布地を前記分散染料と接触させるステップを含む、
第３８の局面の方法。
［第４０の局面］
前記処理済布地を染色する前記ステップは、前記布地を液流染色するステップを備える、
第３８の局面又は第３９の局面の方法。
［第４１の局面］
前記処理済布地を染色する前記ステップは、前記布地を超臨界ＣＯ２（ＳＣＣＯ２）染色するステップを備える、
第３８の局面又は第３９の局面の方法。
［第４２の局面］
超臨界ＣＯ２（ＳＣＣＯ２）染色する前記ステップは、前記処理済布地を１２０℃から１３０℃の範囲で加熱するステップを備える、
第４１の局面の方法。
［第４３の局面］
前記処理済布地を染色する前記ステップは、昇華捺染するステップを備える、
第３８の局面又は第３９の局面の方法。
［第４４の局面］
昇華捺染する前記ステップは、前記処理済布地を１３０℃から２１０℃の範囲の温度で加熱するステップを含む、
第４３の局面の方法。
［第４５の局面］
前記液体分散物は、分散染料を備える、
第３３の局面乃至第３７の局面のいずれか１項の方法。
［第４６の局面］
前記液体分散物は、移染防止剤を備える、
第４５の局面の方法。
［第４７の局面］
染色済布地を得るために、前記処理済布地をサーモゾル処理するステップを更に含む、
第４５の局面又は第４６の局面の方法。